(57)【特許請求の範囲】
【請求項１】
排水管に設けられた掃除口に取り付けられて、洗浄水を噴出させて前記排水管を洗浄する洗浄ホースの挿入を案内する排水管用洗浄治具であって、
開口時の前記掃除口の周縁における取付座に、ねじ止めされて、前記洗浄ホースを挿入可能な挿入用開口を備えた治具本体と、
前記排水管から突出するように、前記治具本体に対して取替え可能に組み付けられるとともに、少なくとも前記挿入用開口まで前記洗浄ホースを案内可能な可撓性を有した案内パイプと、
を備えて構成され、
前記治具本体が、
前記挿入用開口を有して、前記取付座にねじ止めされる環状の取付プレート部と、
該取付プレート部の前記挿入用開口の裏面側周縁から、前記排水管内に延びるように配設されて、前記案内パイプを経て前記挿入用開口内に挿入された前記洗浄ホースを前記排水管内まで案内可能な筒状スリーブ部と、
を備え、
前記筒状スリーブ部が、内周側に、前記挿入用開口から連なって形成されるとともに、前記案内パイプの前記排水管内への進入を規制可能なストッパ壁を有し、かつ、前記案内パイプの先端部を嵌合可能な嵌合孔部を有した挿通孔、を備えて構成されていることを特徴とする排水管用洗浄治具。
【請求項２】
前記筒状スリーブ部が、弾性変形可能なゴム状弾性材料から形成されて、前記取付プレート部から離れる先端側にかけて、外周面を先細りのテーパ状として、前記取付プレート部の前記取付座へのねじ止め時、前記掃除口の内周面に、外周面を圧接可能に構成されていることを特徴とする請求項１に記載の排水管用洗浄治具。
【発明の詳細な説明】
【技術分野】
【０００１】
本発明は、多層階の建築物の排水管内に洗浄ホースを挿入させて排水管を洗浄する際、排水管の所定位置に設けられた掃除口に取り付けられて、洗浄水を噴出させて排水管を洗浄する洗浄ホースの挿入を、案内する排水管用洗浄治具に関する。
【背景技術】
【０００２】
従来、この種の排水管用洗浄治具では、蛇腹状の可撓性を有した案内パイプの外周側に、ゴム製の円環状のシール材を嵌めて構成されるものが知られている（例えば、特許文献１参照）。この排水管用洗浄治具では、排水管の洗浄時、掃除口の蓋体を取り外した後、まず、案内パイプの外周側に嵌めたシール材を、掃除口の内周面に圧接させるように、掃除口内に挿入させて、洗浄治具を位置決めする。そして、洗浄ホースのノズル側を案内パイプから排水管内に挿入させ、洗浄ホースのホース本体側から洗浄水をノズルに供給して、ノズルから噴射される洗浄水の洗浄力により、排水管内を洗浄していた。
【先行技術文献】
【特許文献】
【０００３】
【特許文献１】特開２００８−２３１８９２公報
【発明の概要】
【発明が解決しようとする課題】
【０００４】
しかし、従来の排水管用洗浄治具では、シール材を、単に、掃除口に嵌めて位置決めしているだけであり、洗浄ホースの出し入れ時、シール材が、掃除口の内周面からずれて、掃除口から外れる虞れがあった。そして、シール材が掃除口から外れてしまえば、案内パイプと掃除口の内周面との隙間から、汚水が、排水管の周囲に飛散して、周囲の床等を汚してしまう事態を招いてしまう。この時、汚水が飛散したエリアが、居住区のトイレの点検口における室外側（シャフト側）であれば、掃除が行い難く、問題となってしまう。
【０００５】
本発明は、上述の課題を解決するもので、洗浄ホースを円滑に出し入れできる排水管用洗浄治具を提供することを目的とする。
【課題を解決するための手段】
【０００６】
本発明に係る排水管用洗浄治具は、排水管に設けられた掃除口に取り付けられて、洗浄水を噴出させて排水管を洗浄する洗浄ホースの挿入を案内する排水管用洗浄治具であって、
開口時の掃除口の周縁における取付座に、ねじ止めされて、洗浄ホースを挿入可能な挿入用開口を備えた治具本体と、
排水管から突出するように、治具本体に対して取替え可能に組み付けられるとともに、少なくとも挿入用開口まで洗浄ホースを案内可能な可撓性を有した案内パイプと、
を備えて構成され、
治具本体が、
挿入用開口を有して、取付座にねじ止めされる環状の取付プレート部と、
取付プレート部の挿入用開口の裏面側周縁から、排水管内に延びるように配設されて、案内パイプを経て挿入用開口内に挿入された洗浄ホースを排水管内まで案内可能な筒状スリーブ部と、
を備え、
前記筒状スリーブ部が、内周側に、前記挿入用開口から連なって形成されるとともに、前記案内パイプの前記排水管内への進入を規制可能なストッパ壁を有し、かつ、前記案内パイプの先端部を嵌合可能な嵌合孔部を有した挿通孔、を備えて構成されていることを特徴とする。
【０００７】
本発明に係る排水管用洗浄治具では、使用時、まず、排水管の掃除口を、所定の蓋体を外して、開口させ、そして、取付プレート部を、ねじ止めして、掃除口の周縁の取付座に固定する。ついで、洗浄ホースの先端のノズルを、案内パイプ内に挿入し、取付プレート部の挿入用開口と筒状スリーブ部とを経て、排水管内に案内し、洗浄ホースの先端のノズルから洗浄水を噴射させれば、排水管内の洗浄を行うことができる。そして、排水管を洗浄した後には、挿入時と逆に、洗浄ホースを排水管用洗浄治具から引き抜き、ねじを緩めて、取付プレート部を取付座から取り外して、掃除口を蓋体によって塞げば、排水管の洗浄作業を完了することができる。そして、排水管用洗浄治具が、取付プレート部を取付座にねじ止めしていれば、案内パイプや筒状スリーブ部を介して、洗浄ホースを出し入れしても、掃除口の周縁から外れないことから、不用意に掃除口を開口させず、掃除口からの汚水の飛散を防止できる。
【０００８】
したがって、本発明に係る排水管用洗浄具では、周囲に汚水を飛散させること無く、洗浄ホースを円滑に出し入れすることができる。
【０００９】
また、本発明に係る排水管用洗浄治具では、案内パイプを、取替え可能としていることから、洗浄ホースのホース本体と擦れて、案内パイプが損傷しても、容易に、案内パイプを交換することができる。ちなみに、洗浄ホースのホース本体が、柔軟性と強度とを確保可能に、外層をステンレスのメッシュ状としていれば、案内パイプはホース本体と擦れて損傷し易い。
【００１０】
なお、掃除口の内周側では、筒状スリーブ部及び／又は案内パイプが、洗浄ホースのホース本体と摺動するため、掃除口の内周側付近における排水管の内周側の、ホース本体との擦れを抑制できて、排水管自体の損傷を防止できる。ちなみに、筒状スリーブ部がホース本体と擦れても、筒状スリーブ部は、案内パイプに比べて、可撓性を必要としないことから、ある程度の強度を有した素材から形成したり、厚肉に形成できて、洗浄ホースのホース本体と摺動しても、案内パイプに比べて、交換を要するような損傷は生じ難い。
【００１１】
そして、本発明に係る排水管用洗浄治具では、筒状スリーブ部の内周側に、挿入用開口から連なって形成されるとともに、案内パイプの排水管内への進入を規制可能なストッパ壁を有し、かつ、案内パイプの先端部を嵌合可能な嵌合孔部を有した挿通孔、を設けている。
【００１２】
このような構成では、排水管の洗浄時、案内パイプや筒状スリーブ部を経て、洗浄ホースのホース本体を、排水管内に長く（深く）挿入させる際、案内パイプがホース本体との摩擦により、排水管内に引き込まれる状態となっても、案内パイプが、筒状スリーブ部のストッパ壁に規制され、排水管内への進入が防止される。ちなみに、案内パイプが、引き込まれて排水管内に落下すれば、排水の詰まり等を引き起こす虞れが生じてしまう。
【００１３】
この点を考慮しなければ、案内パイプは、排水管内側に延びる先端部を、筒状スリーブ部から離脱させるように、排水管内側に突出させつつ、筒状スリーブ部に対して、嵌挿させて組み付けるように構成してもよい。
【００１４】
また、筒状スリーブ部は、弾性変形可能なゴム状弾性材料から形成して、取付プレート部から離れる先端側にかけて、外周面を先細りのテーパ状として、取付プレート部の取付座へのねじ止め時、掃除口の内周面に、外周面を圧接可能に構成してもよい。このような構成では、取付プレート部の取付座へのねじ止め時、筒状スリーブ部が、掃除口の周縁の水密性を確保できて、別途、掃除口周縁のシール用のパッキンを、使用しなくとも良い。さらに、案内パイプが筒状スリーブ部に嵌合されて組み付けられている場合、筒状スリーブ部が、掃除口の内周面に圧接されれば、案内パイプを、一層、外周側から強く挟持する状態となることから、筒状スリーブ部が、案内パイプの保持を強固にすることができる。
【図面の簡単な説明】
【００１５】
【図１】本発明の一実施形態の排水管用洗浄治具の分解斜視図である。
【図２】実施形態の排水管用洗浄治具の部分拡大側面図である。
【図３】実施形態の排水管用洗浄治具における治具本体の断面図である。
【図４】実施形態の排水管用洗浄治具を掃除口に取り付けた状態を示す概略部分断面図である。
【図５】実施形態の排水管用洗浄治具を掃除口に取り付けた状態で、洗浄ホースを挿入した状態を示す概略部分断面図である。
【図６】排水管に設けられた掃除口を所定の蓋体で閉口させた状態を示す概略部分断面図である。
【図７】実施形態の変形例を示す排水管用洗浄治具を掃除口に取り付けた状態で、洗浄ホースを挿入した状態を示す概略部分断面図である。
【発明を実施するための形態】
【００１６】
以下、本発明の一実施形態を図面に基づいて説明すると、実施形態の排水管用洗浄治具１１は、図１，６に示すように、排水管１の一部を構成しているソケット３の掃除口５に装着されて使用される。
【００１７】
ソケット３は、排水立て管２（２Ａ,２Ｂ）の間に配設されて、排水立て管２Ａ，２Ｂと接続させるための接続部６（６Ａ，６Ｂ）を上下端にそれぞれ配設させた略円筒状の胴部４を備え、胴部４に掃除口５を開口させている。接続部６Ａ，６Ｂは、可撓継手形式によって排水立て管２Ａ，２Ｂと接続可能に、接続ボルト（図符号省略）を挿通可能な挿通孔６ｂを設けたフランジ部６ａが形成されて、構成されている。
【００１８】
掃除口５は、胴部４の上下方向の軸心に対し、軸心を直交させて、開口され、通常時、図６に示すように、胴部４に固定される掃除口用の蓋体７によって、閉塞されている。胴部４の外周面側における掃除口５の周縁には、取付座４ｂ（図１，６参照）が形成されており、取付座４ｂの四隅には、蓋体７の取付用の取付ボルト１０と螺合するねじ孔４ｃが形成されている。
【００１９】
蓋体７は、本体８と、四角環状のパッキン９と、を備えて構成され、本体８は、掃除口５の内周面５ａ側に挿入可能な有底円筒形状の筒形状部８ａと、筒形状部８ａの端部から外方に延びるフランジ部８ｃと、を備えて構成されている。筒形状部８ａの底部８ｂは、蓋体７のソケット３への取付時、胴部４の内周面４ａと面一となるように、水平方向の横断面を、円弧状に湾曲させている。フランジ部８ｃには、各ねじ孔４ｃに対応して取付ボルト１０を挿通させる挿通孔（図示せず）が、形成されている。パッキン９も、各ボルト１０を挿通させる図示しない挿通孔を配設させて、構成されている。
【００２０】
そして、このソケット３では、取付座４ｂとの間にパッキン９を介在させて、本体８の筒形状部８ａを掃除口５の内周面側に挿入し、フランジ部８ｃの各挿通孔からパッキン９を経て各ねじ孔４ｃに取付ボルト１０を締結すれば、蓋体７により、掃除口５が閉塞されることとなる。
【００２１】
実施形態の排水管用洗浄治具１１は、図１〜４に示すように、治具本体１２と、案内パイプ２７と、を備えて構成されている。
【００２２】
案内パイプ２７は、ポリエチレンン等の合成樹脂から形成されて、可撓性を有するように蛇腹状とした円筒状のパイプ材から形成されている。この案内パイプ２７は、ソケット（排水管１）３から突出するように、治具本体１２に対して取替え可能に組み付けられるとともに、治具本体１２の挿入用開口１４まで洗浄ホースＨを案内するものである。案内パイプ２７の具体的な長さ寸法は、案内パイプ２７が掃除口５の周縁の取付座４ｂに取り付けられた治具本体１２から突出して、突出端２７ａを点検口Ｗから突出できる長さ寸法として、設定されている。
【００２３】
なお、点検口Ｗは、図６に示すように、通常時、各住居のトイレの壁面等に、開閉可能な開閉蓋Ｃに覆われて、配設されている。
【００２４】
治具本体１２は、案内パイプ２７を保持した状態で、開口時の掃除口５の周縁における取付座４ｂに、ねじ１７止めされるもので、洗浄ホースＨを挿入可能な挿入用開口１４を備えて構成されている。そして、治具本体１２は、取付プレート部１３と、筒状スリーブ部２０と、から構成されている。
【００２５】
取付プレート部１３は、四角環状の鉄等の金属製として、エポキシ樹脂等によってコーティングされて形成されている。取付プレート部１３は、中央に、洗浄ホースＨを案内する案内パイプ２７を挿入可能な円形に開口した挿入用開口１４を、貫通させ、また、四隅に、貫通孔１５を貫通させている。各貫通孔１５は、取付座４ｂのねじ孔４ｃと、それぞれ、一致する位置に配置されている。さらに、貫通孔１５の内の挿入用開口１４を中心とした点対称となる二箇所には、ねじ孔４ｃに螺合されるねじ（ボルト）１７が、組み付けられている。これらのねじ１７は、洗浄治具１１を取付座４ｂに取り付けるものであり、それぞれ、ねじ孔４ｃに螺合可能に構成されている。さらに、実施形態の場合、各ねじ１７は、回転可能として、取付プレート部１３から脱落しないように、プッシュナット１８を利用して、取付プレート部１３に保持されている。
【００２６】
筒状スリーブ部２０は、取付プレート部１３の挿入用開口１４の裏面１３ａ側周縁から、ソケット（排水管１）３内に延びるように配設されて、挿入用開口１４から挿入された洗浄ホースＨを排水管１内まで案内可能な略円筒状としている。実施形態の場合、筒状スリーブ部２０は、ＥＰＤＭ等の弾性変形可能なゴム状弾性材料から形成されて、内周側に、取付プレート部１３の挿入用開口１４から連なって貫通するように形成される挿通孔２１、を配設させている。
【００２７】
そして、筒状スリーブ部２０の取付プレート部１３側となる元部２０ａ側では、挿通孔２１の内周面側が、案内パイプ２７の先端部（組付端）２７ｂを嵌合可能な嵌合孔部２３として、先端部２０ｂ側に向かって、内径寸法を縮径させるテーパ状に形成されている。また、挿通孔２１における軸方向の略中間地点より先端部２０ｂ側の部位には、案内パイプ２７の排水管１内への進入を規制可能なストッパ壁２２が、形成されている。ストッパ壁２２は、嵌合孔部２３の内周面から急激に縮径されるような段差を設けて、形成されている。
【００２８】
ちなみに、ストッパ壁２２に当接させるまで、案内パイプ２７の組付端２７ｂを嵌合孔部２３に嵌合させれば、案内パイプ２７は、引き抜き時の洗浄ホースＨのホース本体Ｂが擦れても、嵌合孔部２３から外れない程度に、嵌合孔部２３に嵌合されることとなる。勿論、この嵌合強度は、取替え時において、案内パイプ２７を強い力で上下や左右に交互にずり移動等させつつ引き抜く際には、案内パイプ２７を嵌合孔部２３から取り外せる程度としている。
【００２９】
また、ストッパ壁２２付近の内径寸法Ｄ０は、案内パイプ２７内を通過する洗浄ホースＨのノズルＮ等がストッパ壁２２に当たって移動が停止されないように、蛇腹状の案内パイプ２７の内径寸法Ｄ１より大きく設定されている。
【００３０】
さらに、挿通孔２１におけるストッパ壁２２を越えた筒状スリーブ部２０の先端部２０ｂ側は、テーパ状に拡径する拡径面２４として、構成されている。また、この拡径面２４の部位は、案内パイプ２７を挿通してきた洗浄ホースＨのノズルＮやホース本体Ｂが、掃除口５の内周面５ａ付近におけるソケット３の胴部４の内周面４ａに、接触しないように、十分に、胴部４内に進入する長さ寸法として、形成されている。
【００３１】
そしてまた、筒状スリーブ部２０は、外周面２５を、先端部２０ｂ側にかけて先細りのテーパ状として、取付プレート部１３の掃除口５の周縁における取付座４ｂへのねじ止め時、掃除口５の内周面５ａ（特に、取付座４ｂ側）に、圧接されつつ、掃除口５内に嵌入されるように、構成されている。
【００３２】
実施形態の排水管用洗浄治具１１では、使用時、まず、開閉蓋Ｃを開けた点検口Ｗから、図６の各取付ボルト１０を緩めて、蓋体７を取付座４ｂから外し、ソケット（排水管１）３の掃除口５を開口させる。そして、図４に示すように、取付座４ｂの所定のねじ孔４ｃに、ねじ１７を螺合させて、案内パイプ２７を組付済みの洗浄治具１１における取付プレート部１３を、掃除口５の周縁の取付座４ｂに固定する。
【００３３】
ついで、図５に示すように、洗浄ホースＨの先端のノズルＮを、案内パイプ２７内に挿入し、取付プレート部１３の挿入用開口１４と筒状スリーブ部２０とを経て、立て管（排水管１）２内に案内し、洗浄ホースＨの先端のノズルＮから洗浄水を噴射させれば、排水管１内の洗浄を行うことができる。なお、この時、ノズルＮ付近に、排水管１内に投入された牽引ワイヤを締結して、洗浄ホースＨを、引き上げたり、引きおろしたりして、操作しつつ洗浄水を噴射させれば、排水管１を広範囲で洗浄することができる。ちなみに、この牽引ワイヤは、ウインチ等の牽引装置から延びる先端側を、予め、排水管１内に挿通させて、開口させる掃除口５付近に配置させておき、洗浄治具１１の取付座４ｂへの取付前に、洗浄治具１１を通して、洗浄ホースＨのノズルＮに締結しておく。そして、牽引ワイヤの先端を、洗浄治具１１の取付座４ｂへの取付後、洗浄治具１１内を挿通させて、洗浄ホースＨとともに、排水管１内に戻せば、牽引装置の作動によって、ホース本体Ｂとともに、洗浄ホースＨのノズルＮ付近を、牽引可能となる。
【００３４】
排水管１を洗浄した後には、挿入時と逆に、洗浄ホースＨを排水管用洗浄治具１１から引き抜き、適宜、牽引ワイヤとノズルＮとの締結を外し、さらに、ねじ１７を緩めて、取付プレート部１３を取付座４ｂから取り外し、ついで、ボルト１０止めして、掃除口５を蓋体７によって塞ぎ、さらに、点検口Ｗを開閉蓋Ｃによって塞げば、排水管１の洗浄作業を完了することができる。
【００３５】
そして、実施形態の排水管用洗浄治具１１では、図４，５に示すように、案内パイプ２７を組み付けた治具本体１２の取付プレート部１３が取付座４ｂにねじ１７止めされるため、案内パイプ２７や筒状スリーブ部２０を介して、洗浄ホースＨを出し入れしても、洗浄治具１１が掃除口５の周縁の取付座４ｂから外れないことから、不用意に掃除口５を開口させず、掃除口５からの汚水の飛散を防止でき、点検口Ｗ付近の室外側や室内側を汚さずに済む。
【００３６】
したがって、実施形態の排水管用洗浄治具１１では、周囲に汚水を飛散させること無く、洗浄ホースを円滑に出し入れすることができる。
【００３７】
また、実施形態の排水管用洗浄治具１１では、案内パイプ２７を、取替え可能としていることから、洗浄ホースＨのホース本体Ｂと擦れて、案内パイプ２７が損傷しても、容易に、案内パイプ２７を交換することができる。なお、洗浄ホースＨのホース本体Ｂが、柔軟性と強度とを確保可能に、外層をステンレスのメッシュ状としていれば、案内パイプ２７はホース本体Ｂと擦れて損傷し易い。
【００３８】
さらに、実施形態の場合、掃除口５の内周面５ａ側では、筒状スリーブ部２０が、洗浄ホースＨのホース本体Ｂと摺動するため、掃除口５の内周面５ａ側における排水管１の内周面４ａ側の、ホース本体Ｂとの擦れを抑制できて、排水管１自体の損傷を防止できる。ちなみに、筒状スリーブ部２０は、案内パイプ２７に比べて、可撓性を必要としないことから、ある程度の強度を有した素材から形成したり、厚肉に形成できて、洗浄ホースＨのホース本体Ｂと摺動しても、案内パイプ２７に比べて、交換を要するような損傷は生じ難い。
【００３９】
そして、実施形態の洗浄治具１１では、筒状スリーブ部２０の内周側に、挿入用開口１４から連なって形成されるとともに、案内パイプ２７の排水管１内への進入を規制可能なストッパ壁２２を有し、かつ、案内パイプ２７の先端部２７ｂを嵌合可能な嵌合孔部２３を有した挿通孔２１が、形成されている。そのため、実施形態では、排水管１の洗浄時、案内パイプ２７や筒状スリーブ部２０を経て、洗浄ホースＨのホース本体Ｂを、排水管１内に長く（深く）挿入させる際、案内パイプ２７がホース本体Ｂとの摩擦により、排水管１内に引き込まれる状態となっても、案内パイプ２７が、筒状スリーブ部２０のストッパ壁２２に規制され、排水管１内への進入が防止される。ちなみに、案内パイプ２７が、引き込まれて排水管１内に落下すれば、排水の詰まり等を引き起こす虞れが生じてしまう。
【００４０】
なお、この点を考慮しなければ、図７に示す排水管用洗浄治具１１Ａのように、筒状スリーブ部２０Ａの挿通孔２１の内周面に、実施形態のようなストッパ壁２２を形成せずに、予め、筒状スリーブ部２０Ａの挿通孔２１に、案内パイプ２７Ａを貫通させておいても良い。すなわち、この変形例では、実施形態の案内パイプ２７より長い案内パイプ２７Ａを使用して、案内パイプ２７Ａにおける排水管１（ソケット３）の内側に延びる先端部２７ｂを、筒状スリーブ部２１Ａから離脱させるように、排水管１の内側に突出させつつ、案内パイプ２７Ａを筒状スリーブ部２１Ａの挿通孔２１に嵌挿させて、治具本体１２に組み付けている。この場合には、洗浄ホースＨの出し入れ時に、案内パイプ２７Ａのずれ移動が生じ難いように、案内パイプ２７Ａは、筒状スリーブ部２０Ａに嵌挿（嵌合）させるように、挿通孔２１に貫通させればよく、逆に、筒状スリーブ部２０Ａの挿通孔２１は、案内パイプ２７Ａの取り替えを可能として、案内パイプ２７Ａを嵌合させるように、内径寸法を設定すればよい。
【００４１】
さらに、実施形態や変形例では、筒状スリーブ部２０，２０Ａが、弾性変形可能なゴム状弾性材料から形成されて、取付プレート部１３側の元部２０ａから離れる先端部２０ｂ側にかけて、外周面２５を先細りのテーパ状として、取付プレート部１３の取付座４ｂへのねじ１７止め時、掃除口５の内周面５ａに、外周面２５を圧接可能に構成されている。このような構成では、取付プレート部１３の取付座４ｂへのねじ止め時、筒状スリーブ部２０，２０Ａが、掃除口５の周縁の水密性を確保できて、別途、掃除口５周縁のシール用のパッキンを、使用しなくとも良い。さらに、筒状スリーブ部２０，２０Ａが、掃除口５の内周面５ａに圧接されれば、内周側の嵌合孔部２３や挿通孔２１に嵌合されて組み付けられている案内パイプ２７，２７Ａを、一層、外周側から強く挟持する状態となることから、筒状スリーブ部２０，２０Ａが、案内パイプ２７，２７Ａの保持をより強固にすることができる。
【００４２】
なお、実施形態や変形例では、案内パイプ２７，２７Ａを、筒状スリーブ部２０，２０Ａに嵌合させて、治具本体１２に対して取替え可能に組み付けるように構成した。しかし、これらの案内パイプ２７，２７Ａは、治具本体１２に対して取替え可能に組み付けられれば、挿入用開口１４に嵌合させたり、あるいは、ねじ止め等を利用して、取付プレート部１３に保持させるように構成してもよい。
【符号の説明】
【００４３】
１…排水管、
３…（排水管）ソケット、
４ｂ…取付座、
４ｃ…ねじ孔、
５…掃除口、
１１，１１Ａ…排水管用洗浄治具、
１２…治具本体、
１３…取付プレート部、
１４…挿入用開口、
１７…ねじ、
２０，２０Ａ…筒状スリーブ部、
２１…挿通孔、
２２…ストッパ壁、
２３…嵌合孔部、
２４…拡径面、
２５…（筒状スリーブ部の）外周面、
２７，２７Ａ…案内パイプ、
Ｈ…洗浄ホース。
【図１】
0005643008.tif 000002
【図２】
0005643008.tif 000003
【図３】
0005643008.tif 000004
【図４】
0005643008.tif 000005
【図５】
0005643008.tif 000006
【図６】
0005643008.tif 000007
【図７】
0005643008.tif 000008